(57)【要約】【課題】家屋内のほとんど全ての廃棄物を、人の力を借りず、自動的に屋外へ排出することができる家屋内廃棄処理物の排出装置を提供することを目的とする。【解決手段】吸引装置２と吸引物３の貯留部４を有し屋外に設置する装置本体１と、この装置本体１と接続され屋内に複数の吸引口部１１を有する配管７と、この配管７の複数の吸引口部１１に接続される各種の廃棄物処理装置１２と、この各廃棄物処理装置１２における処理物貯留量により装置本体１の吸引装置２を運転し、処理物を貯留部４に吸引するよう制御する制御手段１０とを備えたものである。これによって、家屋内のほとんど全ての廃棄物を、各種の廃棄物処理装置から、人の力を借りず、騒音を気にすることなく、自動的に屋外へ排出することができる。【選択図】図１
2006256789.tif 000002
【特許請求の範囲】
【請求項１】
吸引装置と吸引物の貯留部を有し屋外に設置する装置本体と、この装置本体と接続され屋内に複数の吸引口部を有する配管と、この配管の複数の吸引口部に接続される各種の廃棄物処理装置と、この各廃棄物処理装置における処理物貯留量により装置本体の吸引装置を運転し、処理物を貯留部に吸引するよう制御する制御手段とを備えた家屋内廃棄処理物の排出装置。
【請求項２】
配管の吸引口部と各廃棄物処理装置との接続部には、両者の接続により開放され各廃棄物処理装置と配管とを連通する仕切り弁を設けた請求項１に記載の家屋内廃棄処理物の排出装置。
【請求項３】
配管の吸引口部と各廃棄物処理装置との接続部には、各廃棄物処理装置における処理物貯留量が満杯状態で開放する常閉の仕切り弁を設けた請求項１に記載の家屋内廃棄処理物の排出装置。
【請求項４】
廃棄物処理装置の運転途中で処理物貯留量が満杯状態となった場合、仕切り弁は常閉状態を維持するようにした請求項３に記載の家屋内廃棄処理物の排出装置。
【請求項５】
各廃棄物処理装置には、装置本体の吸引装置を運転させることができる手動の運転手段を設けた請求項１〜４のいずれか１項に記載の家屋内廃棄処理物の排出装置。
【請求項６】
各廃棄物処理装置のうち少なくとも１つは、処理物投入部と処理部と処理物貯留部とを有し、処理部は粉砕手段または加熱乾燥手段の少なくとも１つを有する請求項１〜４のいずれか１項に記載の家屋内廃棄処理物の排出装置。
【請求項７】
廃棄物処理装置の処理部と処理物貯留部を兼用とした請求項６に記載の家屋内廃棄処理物の排出装置。
【請求項８】
装置本体に吸引物の貯留量を検知する検知手段を設け、廃棄物処理装置には前記検知手段による検知状態を表示する表示手段、または検知状態が満杯の場合、廃棄物処理装置をロックするロック手段を設けた請求項１〜７のいずれか１項に記載の家屋内廃棄処理物の排出装置。
【請求項９】
装置本体の吸引装置は、各廃棄物処理装置の運転数に応じて吸引力を高めるようにした請求項１〜７のいずれか１項に記載の家屋内廃棄処理物の排出装置。
【発明の詳細な説明】
【技術分野】
【０００１】
本発明は、一般家庭などにおける廃棄物（掃除ごみ、紙類、生ごみなど）を、自動的に屋外に排出することができる家屋内廃棄処理物の排出装置に関するものである。
【背景技術】
【０００２】
従来、屋内の掃除ごみを自動的に屋外に排出することができる家屋内廃棄処理物の排出装置としては、セントラルクリーナーが知られている（例えば、特許文献１参照）。
【０００３】
これは、屋外に吸引装置と吸引物の貯留部を有し、吸引装置から通じる配管出口を屋内に設け、その配管出口に専用の掃除ノズルを着脱接続することによって屋外の吸引装置を運転させ、室内の掃除を行うものである。
【特許文献１】特開昭５９−１３７０２２号公報
【発明の開示】
【発明が解決しようとする課題】
【０００４】
しかしながら、前記従来のセントラルクリーナーの構成は、対象のごみが屋内の掃除ごみに限られているものである。家屋内の廃棄物には、室内の綿埃や塵埃のような室内で生活することによって自然に発生する汚れだけではなく、使用済みで不要になった紙や布のように、そのままの大きさではセントラルクリーナーの構成では配管などに詰まり、搬送しにくいものや、生ごみなどのように水分を大量に含み、配管中を搬送すると配管内に生ごみが付着し、腐敗してしまったりする様な廃棄物もある。このような廃棄物はセントラルクリーナーでは取扱ができず、やはり人が屋外まで運ぶ作業が必要となり、家事労働としてはかなり負荷の大きなものであった。
【０００５】
本発明は、前記従来の課題を解決するもので、家屋内掃除により集められた塵埃、不要な紙や布、ビニール袋、生ごみなどのほとんど全ての廃棄物を、人の力を借りず、自動的に屋外へ排出することができる家屋内廃棄処理物の排出装置を提供することを目的とするものである。
【課題を解決するための手段】
【０００６】
前記従来の課題を解決するために、本発明の家屋内廃棄処理物の排出装置は、吸引装置と吸引物の貯留部を有し屋外に設置する装置本体と、この装置本体と接続され屋内に複数の吸引口部を有する配管と、この配管の複数の吸引口部に接続される各種の廃棄物処理装置と、この各廃棄物処理装置における処理物貯留量により装置本体の吸引装置を運転し、処理物を貯留部に吸引するよう制御する制御手段とを備えたものである。
【０００７】
これによって、例えば、各廃棄物処理装置として、ゴミ箱、生ごみ乾燥処理機、あるいはシュレッダーを配管に接続することで、人の力を借りず、塵埃はもとより、生ごみを乾燥、粉砕、水分除去して自動的に屋外へ排出したり、紙類などを粉砕して自動的に屋外へ排出したりすることができるものである。また、各廃棄物処理装置の処理物貯留量により屋外の装置本体の吸引装置を運転するものであって、常に運転する必要が無く、騒音もほとんど気にならないものである。
【発明の効果】
【０００８】
本発明の家屋内廃棄処理物の排出装置は、家屋内のほとんど全ての廃棄物を、人の力を借りず、騒音を気にすることなく、自動的に屋外へ排出することができるものである。
【発明を実施するための最良の形態】
【０００９】
第１の発明は、吸引装置と吸引物の貯留部を有し屋外に設置する装置本体と、この装置本体と接続され屋内に複数の吸引口部を有する配管と、この配管の複数の吸引口部に接続される各種の廃棄物処理装置と、この各廃棄物処理装置における処理物貯留量により装置本体の吸引装置を運転し、処理物を貯留部に吸引するよう制御する制御手段とを備えた家屋内廃棄処理物の排出装置とすることにより、例えば、各廃棄物処理装置として、ゴミ箱、生ごみ乾燥処理機、あるいはシュレッダーを配管に接続することで、人の力を借りず、塵埃はもとより、生ごみを乾燥、粉砕、水分除去して自動的に屋外へ排出したり、紙類などを粉砕して自動的に屋外へ排出したりすることができるものである。また、各廃棄物処理装置の処理物貯留量により屋外の装置本体の吸引装置を運転するものであって、常に運転する必要が無く、騒音もほとんど気にならないものである。
【００１０】
第２の発明は、特に、第１の発明において、配管の吸引口部と各廃棄物処理装置との接続部には、両者の接続により開放され各廃棄物処理装置と配管とを連通する仕切り弁を設けたことにより、廃棄物処理装置が接続されてはじめて仕切り弁が開放されるため、屋外の吸引装置が運転された場合の吸引力の無駄が起こらないようにすることができる。
【００１１】
第３の発明は、特に、第１の発明において、配管の吸引口部と各廃棄物処理装置との接続部には、各廃棄物処理装置における処理物貯留量が満杯状態で開放する常閉の仕切り弁を設けたことにより、廃棄物処理装置の処理物貯留量が満杯以外の場合は仕切り弁を閉じ、満杯状態の場合のみ吸引することができるため、必要以上に吸引力を高める必要を無くすることができる。
【００１２】
第４の発明は、特に、第３の発明において、廃棄物処理装置の運転途中で処理物貯留量が満杯状態となった場合、仕切り弁は常閉状態を維持するようにしたことにより、処理物貯留量が満杯状態となっても、廃棄物処理装置による処理途中の廃棄物が処理されないまま配管に吸引されることがなくなり、配管が詰まってしまう危険性を防止することができる。
【００１３】
第５の発明は、特に、第１〜第４のいずれか１つの発明において、各廃棄物処理装置には、装置本体の吸引装置を運転させることができる手動の運転手段を設けたことにより、満杯状態にならなくても、各廃棄物処理装置の処理物を屋外に排出させることができる。そのため、廃棄物処理装置で処理した処理物を屋内に置いておきたくないようなものの場合（例えば、臭いのするものや汚いもの）、処理後すぐに手動で屋外の装置本体の貯留部に排出することができる。
【００１４】
第６の発明は、特に、第１〜第４のいずれか１つの発明において、各廃棄物処理装置のうち少なくとも１つは、処理物投入部と処理部と処理物貯留部とを有し、処理部は粉砕手段または加熱乾燥手段の少なくとも１つを有することにより、紙やビニール袋、布切れなどの比較的大型で、そのままでは配管中を搬送できないものでも、粉砕手段を有するものでは細かく粉砕し、配管中を搬送できる状態に処理できる。また、掃除機などで屋内を掃除した後のごみでも、圧縮され固まっている場合が多いので、粉砕手段により細かく粉砕することができる。さらに、加熱乾燥手段を有するものでは生ごみなど水分を多量に含んでいてもその水分を除去できる。粉砕手段と加熱乾燥手段の両者を有するものでは、廃棄物を粉砕・乾燥して配管中を搬送できる状態にすることができる。
【００１５】
第７の発明は、特に、第６の発明において、廃棄物処理装置の処理部と処理物貯留部を兼用としたことにより、処理部と処理物貯留部を同じ容器内で構成できるため、廃棄物処理装置自体をコンパクトに構成できる。
【００１６】
第８の発明は、特に、第１〜第７のいずれか１つの発明において、装置本体に吸引物の貯留量を検知する検知手段を設け、廃棄物処理装置には前記検知手段による検知状態を表示する表示手段、または検知状態が満杯の場合、廃棄物処理装置をロックするロック手段を設けたことにより、屋外に設置する装置本体まで行かなくても吸引物の貯留量を確認することができる。
【００１７】
第９の発明は、特に、第１〜第７のいずれか１つの発明において、装置本体の吸引装置は、各廃棄物処理装置の運転数に応じて吸引力を高めるようにしたことにより、搬送しなければならない処理物の量に応じて、吸引装置による搬送能力を変化させ、吸引すべき廃棄物処理装置の台数に応じ、台数が多ければ吸引装置の能力を高め、少なければ吸引装置の能力を下げる制御を行い、必要以上の入力を入れないように制御するものである。
【００１８】
以下、本発明の実施の形態について、図面を参照しながら説明する。なお、この実施の形態によって本発明が限定されるものではない。
【００１９】
（実施の形態１）
図１、図２は、本発明の実施の形態１における家屋内廃棄処理物の排出装置を示している。
【００２０】
図１に示すように、本実施の形態は、吸引装置２と吸引物３の貯留部４とを内部に有し屋外に設置する装置本体１と、この装置本体１と接続され屋内に複数の吸引口部１１を有する配管７と、この配管７の複数の吸引口部１１に接続される各種の廃棄物処理装置１２と、この各廃棄物処理装置１２における処理物貯留量により装置本体１の吸引装置２を運転し、吸引物３を貯留部４に吸引するよう制御する制御手段１０とを備えている。
【００２１】
前記装置本体１は、屋外に設置されているが、ここで言う屋外とは、家屋の各室と別個の場所を指しており、地下室や隔離された部屋などを含むものであり、戸外のみに限られるものではない。また、装置本体１内部の貯留部４は扉５を開閉することによって、装置本体１と着脱できるようになっている。さらに、吸引装置２の吸気側６は配管７に通じており、排気側８は装置本体１の排気口９につながっている。また、制御手段１０も装置本体１内に設置されている。
【００２２】
配管７は複数本の枝配管７ａに分岐され、屋内の壁または床などに設置された吸引口部１１につながっている。この吸引口部１１には廃棄物処理装置１２が着脱可能に接続されている。
【００２３】
各廃棄物処理装置１２は、後述するが、屋内の各室に設置されたゴミ箱、生ごみ乾燥処理機、あるいはシュレッダーなどである。図１に構成の詳細を示している廃棄物処理装置１２は、家屋内の廃棄物１３を投入する処理物投入部１４と、投入された廃棄物１３を粉砕や乾燥などの処理を行うための処理部１５と、処理部１５から搬送手段１６を経て処理された廃棄物１３が搬送される処理物貯留部１７が設けられている。処理物貯留部１７には吸引口部１１に接続されている排出部１８が設けられている。
【００２４】
また、処理物貯留部１７にはその中に貯まった処理物貯留量を検知する貯留量センサ１９が設けられている。この貯留量センサ１９としては、直接貯留量を計る重量センサや、貯留量の容積を計る位置検知センサなど様々な方式が考えられる。また、貯留量センサ１９の信号は無線あるいは有線などの信号伝達方法で装置本体１の制御手段１０に伝達されるようになっている。
【００２５】
上記構成において、家屋内で発生する廃棄物１３（紙、布、ビニール袋、生ごみなど）をそれぞれの廃棄物処理装置１２に投入し、処理部１５で処理された後、処理物貯留部１７に一旦溜められる。それぞれの廃棄物処理装置１２の処理物貯留部１７が満杯状態となった場合、貯留量センサ１９が働き、屋外の装置本体１内にある制御手段１０に信号が伝達され、吸引装置２が運転される。この運転により、廃棄物処理装置１２の処理物貯留部１７にある廃棄物１３が排出部１８、吸引口部１１、枝配管７ａ、配管７を通過し装置本体１の貯留部４に吸引物３として溜められる。
【００２６】
さらに、装置本体１の貯留部４が満杯状態になった場合、扉５をあけて貯留部４を取り出し、廃棄することができるようになっている。
【００２７】
図２は、想定される１つのシステム構成例を示したもので、吸引装置２を有する装置本体１が屋外に設置され、吸引用の配管７で屋内の各所に設けた廃棄物処理装置１２に接続されている。ここでは、廃棄物処理装置１２として、キッチンシステムに組み込んだ生ごみ乾燥処理機２０、各室に設置されたシュレッダー２１、掃除機付きゴミ箱２２、ゴミ箱２３などを示している。このシステムでは、各所から発生する廃棄物１３は処理後、装置本体１へ自動排出されるものである。
【００２８】
このように本実施の形態では、家屋内の様々な廃棄物１３を大きさや、形状、腐敗などの心配が無いように処理するための廃棄物処理装置１２があるため、人の力を借りず、塵埃はもとより、生ごみを乾燥、粉砕、水分除去して自動的に屋外へ排出したり、紙類などを粉砕して自動的に屋外へ排出したりすることができ、家事労働を大幅に低減できる。さらに、各廃棄物処理装置１２における処理物貯留量により装置本体１の吸引装置２を運転するため、すなわち、実施の形態では、貯留量センサ１９による処理物貯留量の満杯検知により、屋外の吸引装置２を常に運転する必要は無く、満杯状態となった場合のごく短時間のみ運転すればよいため、騒音もほとんど気にならないものである。
【００２９】
（実施の形態２）
図３、図４は、本発明の実施の形態２における家屋内廃棄処理物の排出装置の要部構成を示している。実施の形態１と基本構成は同じであり、同一要素については同一符号を付してその説明を省略する。
【００３０】
図３に示すように、本実施の形態は、配管７の枝配管７ａにおける吸引口部１１と、各廃棄物処理装置１２との接続部には、両者の接続により開放され各廃棄物処理装置１２と枝配管７ａとを連通する仕切り弁２５を設けている。すなわち、通常、仕切り弁２５は弁部２７がバネ２６で枝配管７ａの吸引口部１１に圧接して通路を遮断しているが、各廃棄物処理装置１２の接合部２４が吸引口部１１に挿入されることによって、接合部２４の先端で押され通路を開放するようになっている。
【００３１】
図４は他の例を示しており、各廃棄物処理装置１２の接合部２４が吸引口部１１に挿入されるとこれを検知する検知手段２８を設け、この検知信号でモータ２９などのアクチェターを駆動し、枝配管７ａの通路を閉じている仕切り弁２５を矢印３０方向に回動させるようにすることもできる。
【００３２】
このように本実施の形態では、廃棄物処理装置１２が接続されていない場合は、仕切り弁２５が閉じた状態であり、接続されてはじめて仕切り弁２５が開放されるため、屋外の吸引装置２が運転された場合の吸引力の無駄が起こらないようにすることができる。
【００３３】
（実施の形態３）
図５は、本発明の実施の形態３における家屋内廃棄処理物の排出装置の要部構成を示している。実施の形態１と基本構成は同じであり、同一要素については同一符号を付してその説明を省略する。
【００３４】
図に示すように、本実施の形態は、配管７の枝配管７ａの経路に、各廃棄物処理装置１２における処理物貯留部１７の量が満杯状態で開放する常閉の仕切り弁３１を設けたものである。この仕切り弁３１の開放動作は、実施の形態１における貯留量センサ１９の信号に基づく制御手段１０からの指示により駆動手段３２が駆動されて行われる。
【００３５】
このように本実施の形態では、廃棄物処理装置１２の処理物貯留量が満杯以外の場合は仕切り弁３１を閉じ、満杯状態の場合のみ吸引することができるため、必要以上に吸引装置２の吸引力を高める必要を無くすることができる。
【００３６】
（実施の形態４）
次に、本発明の実施の形態４における家屋内廃棄処理物の排出装置について説明する。
【００３７】
本実施の形態では、実施の形態３における仕切り弁３１の動作を規制している点で相違している。すなわち、廃棄物処理装置１２の運転途中で処理物貯留量が満杯状態となった場合、仕切り弁３１は常閉状態を維持するように制御手段１０で制御している。
【００３８】
このように本実施の形態では、廃棄物処理装置１２の運転途中に処理物貯留量が満杯状態となった場合は、仕切り弁３１は常閉状態を維持しているため、廃棄物処理装置１２による処理途中の廃棄物が処理されないまま配管７に吸引されることがなくなり、配管７が詰まってしまう危険性を防止することができる。
【００３９】
（実施の形態５）
次に、本発明の実施の形態５における家屋内廃棄処理物の排出装置について説明する。
【００４０】
本実施の形態では、各廃棄物処理装置１２には、装置本体１の吸引装置２を運転させることができる手動のスイッチなどの運転手段１２ａ（図１）を設け、必要時には自由に装置本体１の吸引装置２を運転させることができるようにしたものである。
【００４１】
このように本実施の形態では、廃棄物処理装置１２の処理物貯留量が満杯状態にならなくても、各廃棄物処理装置１２の処理物を屋外に排出させることができる。そのため、廃棄物処理装置１２で処理した処理物を屋内に置いておきたくないようなものの場合（例えば、臭いのするものや汚いもの）、処理後すぐに手動で屋外の装置本体１の貯留部４に排出することができる。
【００４２】
（実施の形態６）
図６、図７は、本発明の実施の形態６における家屋内廃棄処理物の排出装置の要部構成を示している。実施の形態１と基本構成は同じであり、同一要素については同一符号を付してその説明を省略する。
【００４３】
図６に示すように、本実施の形態は、各廃棄物処理装置１２は、処理物投入部１４と処理部１５と処理物貯留部１７とを有し、処理部１５は粉砕手段３３（一対の回転カッタ方式）を有するものである。これにより、紙やビニール袋、布切れなどの比較的大型で、そのままでは配管７中を搬送できないものでも、粉砕手段３３を有するので細かく粉砕し、配管７中を搬送できる状態に処理できる。また、掃除機などで屋内を掃除した後のごみでも、圧縮され固まっている場合が多いので、粉砕手段３３により細かく粉砕することができる。
【００４４】
図７は、廃棄物処理装置１２が加熱乾燥手段３４を有する例を示している。この例では、加熱乾燥手段３４と粉砕手段３３（撹拌方式）とを併設しており、生ごみなど水分を多量に含んでいてもその水分を除去し、かつ、それを粉砕して配管７中を搬送できる状態にすることができる。
【００４５】
なお、粉砕手段３３または加熱乾燥手段３４は少なくとも１つ有するものであればよく、必ずしも両者を備える必要はない。また、各廃棄物処理装置１２のうち１つは、粉砕手段または加熱乾燥手段の少なくとも１つを有するものであれば事足りるものであって、すべての廃棄物処理装置１２が粉砕手段３３または加熱乾燥手段３４を備える必要はない。
【００４６】
（実施の形態７）
図８は、本発明の実施の形態７における家屋内廃棄処理物の排出装置の要部構成を示している。実施の形態１と基本構成は同じであり、同一要素については同一符号を付してその説明を省略する。
【００４７】
図に示すように、本実施の形態は、廃棄物処理装置１２の処理部１５と処理物貯留部１７を１つの容器で兼用したものである。すなわち、１つの容器内で処理・貯留され、搬送手段１６が矢印のように動作すれば、直接、乾燥・粉砕された廃棄物１３が配管７へと排出されるようになっている。
【００４８】
このように本実施の形態では、処理部１５と処理物貯留部１７を同じ容器内で構成できるため、廃棄物処理装置１２自体をコンパクトに構成できる。
【００４９】
（実施の形態８）
図９は、本発明の実施の形態８における家屋内廃棄処理物の排出装置を示している。実施の形態１と基本構成は同じであり、同一要素については同一符号を付してその説明を省略する。
【００５０】
図に示すように、本実施の形態は、装置本体１に吸引物３の貯留量を検知する検知手段３６を設け、廃棄物処理装置１２には前記検知手段３６による検知状態を表示する表示手段３７、または検知状態が満杯の場合、廃棄物処理装置の動作をロックするロック手段３８を設けたものである。つまり検知手段３６の検知は、制御手段１０によってそのことが表示手段３７で表示されるか、または処理物投入部１４がロックされ、新規投入ができない状態となる。
【００５１】
このように本実施の形態では、廃棄物処理装置１２において、屋外に設置する装置本体１まで行かなくても吸引物３の貯留量を確認できかつ、投入部のロックにより過処理を未然に防止することができる。
【００５２】
（実施の形態９）
次に、本発明の実施の形態９における家屋内廃棄処理物の排出装置について説明する。
【００５３】
本実施の形態では、実施の形態１における装置本体１の吸引装置２は、各廃棄物処理装置１２の運転数に応じて吸引力を高めるようにしたものである。すなわち、屋内の各廃棄物処理装置１２の運転数が多いほど、吸引力を高めるように制御手段１０で吸引装置２を運転させている。
【００５４】
このように本実施の形態では、搬送しなければならない廃棄物１３の量に応じて、吸引装置２による搬送能力を変化させ、吸引すべき廃棄物処理装置１２の台数に応じて台数が多ければ吸引装置２の能力を高め、少なければ吸引装置２の能力を下げる制御を行い、必要以上の入力を入れないように制御するものである。この場合、各廃棄物処理装置１２の運転数を検知する方法の一例としては、各廃棄物処理装置１２の総消費電力で検知したり、各廃棄物処理装置１２に連通して備えた仕切り弁の開口状態数を検知したりして行うものである。
【産業上の利用可能性】
【００５５】
以上のように、本発明にかかる家屋内廃棄処理物の排出装置は、家屋内のほとんど全ての廃棄物を、人の力を借りず、騒音を気にすることなく、自動的に屋外へ排出することができるものであるので、一般家庭用として、また集合住宅用などとして適応できる。
【図面の簡単な説明】
【００５６】
【図１】本発明の実施の形態１、５、９における家屋内廃棄処理物の排出装置の概略構成図
【図２】本発明の実施の形態１における装置の自動排出システムを示す斜視図
【図３】本発明の実施の形態２における家屋内廃棄処理物の排出装置の要部断面図
【図４】同装置の別構成を示す要部断面図
【図５】本発明の実施の形態３、４における家屋内廃棄処理物の排出装置の概略図
【図６】本発明の実施の形態６における家屋内廃棄処理物の排出装置の要部断面図
【図７】同装置の別構成を示す要部断面図
【図８】本発明の実施の形態７における家屋内廃棄処理物の排出装置の要部断面図
【図９】本発明の実施の形態８における家屋内廃棄処理物の排出装置の概略図
【符号の説明】
【００５７】
１  装置本体
２  吸引装置
４  貯留部
７  配管
１０  制御手段
１１  吸引口部
１２  廃棄物処理装置
１３  廃棄物
１４  処理物投入部
１５  処理部
１７  処理物貯留部
１９  貯留量センサ
２４  接合部
２５、３１  仕切り弁
３３  粉砕手段
３４  加熱乾燥手段
３７  表示手段
３８  ロック手段
【図１】
2006256789.tif 000003
【図３】
2006256789.tif 000004
【図４】
2006256789.tif 000005
【図５】
2006256789.tif 000006
【図６】
2006256789.tif 000007
【図７】
2006256789.tif 000008
【図８】
2006256789.tif 000009
【図９】
2006256789.tif 000010
【図２】
2006256789.tif 000011